(57)【特許請求の範囲】
【請求項１】
複数の加熱炉で加熱されている被加熱材の抽出順番を制御する方法であって、各被加熱材に対して抽出順番（基本抽出順番）を、予め定めておくステップと、各加熱炉において抽出待機状態にある被加熱材を次回抽出候補材とするステップと、次回抽出候補材のうちで、その温度が所定値となっているものを選択するステップと、選択された次回抽出候補材を、前記基本抽出順番にしたがって抽出するステップと、を含む被加熱材抽出順番の制御方法。
【請求項２】
請求項１において、さらに、選択された次回抽出候補材を、前記基本抽出順番にしたがって抽出する際、抽出される次回抽出候補材の抽出順番が、当該次回抽出候補材に対する基本抽出順番より抽出順番制御の安定性を考慮して決められる所定順位以上早まる場合には、当該次回抽出候補材の抽出を行わないステップを含む被加熱材抽出順番の制御方法。
【請求項３】
請求項２において、抽出順番制御の安定性を考慮して決められる所定順位を５番とする被加熱材抽出順番の制御方法。
【請求項４】
複数の加熱炉で加熱されている被加熱材の抽出順番を制御する方法であって、各被加熱材に対して抽出順番（基本抽出順番）を、予め定めておくステップと、同一加熱炉からの被加熱材の抽出が、各加熱炉の加熱負荷の平均化を考慮して決められる所定数以上連続するように抽出順番が定められた時、全被加熱材を、当該加熱炉から抽出されるべき被加熱材の集合である第１の被加熱材群と、これ以外の加熱炉から抽出されるべき被加熱材の集合である第２の被加熱材群とに分けるステップと、第１および２の被加熱材群の夫々に属する被加熱材の個数（Ｃ１、Ｃ２）を計数するステップと、第１および２の被加熱材群の夫々に属する被加熱材の個数の和（Ｃ１＋Ｃ２）を、第１の被加熱材群に属する被加熱材の個数（Ｃ１）で除した除算値（（Ｃ１＋Ｃ２）／Ｃ１）を求めるステップと、第１の被加熱材群に属する各被加熱材の基本抽出順番に前記除算値を乗じ、その値を整数値化するステップと、該整数値が、第１の被加熱材群に属する各被加熱材の前記基本抽出順番となるように、全被加熱材の基本抽出順番を変更するステップと、を含む被加熱材抽出順番の制御方法。
【請求項５】
請求項４において、各加熱炉の加熱負荷の平均化を考慮して決められる所定数を３回とする被加熱材抽出順番の制御方法。
【発明の詳細な説明】
【０００１】
【発明の属する技術分野】
本発明は、複数の加熱炉で加熱されている被加熱材の抽出順番を制御する方法に関する。
【０００２】
【従来の技術】
従来、複数の加熱炉備で加熱された被加熱材を抽出する際には、次工程である圧延工程における圧延時の制約条件（板厚、板幅等）を考慮して、特定の抽出順番を定めておき、制御コンピュータは、この定められた抽出順番にしたがって、順次、被加熱材を抽出していた。
【０００３】
また、連鋳との同期化操業（ＤＨＣＲ（Direct Hot Charge Rolling)操業）時の抽出順番は、ＤＨＣＲ材と非ＤＨＣＲ材の抽出順番を独立して定めており、予定された抽出順番と実際の設備操業における抽出順番は、連鋳での鋳込状況に応じてオペレータ操作によって決定されるため、大きな相違がでてくるものであった。例えば、複数の加熱炉のうち、特定の加熱炉をＤＨＣＲ材専用炉として操業を行う場合、連鋳からの材料供給が多いときにはＤＨＣＲ専用炉からの被加熱材の抽出を優先的に行う、材料を投入可能とし、また、逆に連鋳からの材料供給が少ないときにはＤＨＣＲ専用炉からの被加熱材の抽出を控え、空炉状態にならないように、オペレータが抽出操作を行っていた。
【０００４】
【発明が解決しようとする課題】
しかしながら、制御コンピュータが抽出動作を行う際に従う抽出順番は、被加熱材を加熱炉へ投入する前段階に予め定められたものであり、加熱炉中での実際の加熱処理状態を考慮したものではなく、問題点が存在していた。即ち、燃料原価単位低減を図るためには、既に加熱炉抽出目標温度に達している被加熱材を、優先的に加熱炉から抽出することが望ましいし、また逆に、まだ、加熱炉抽出目標温度に達していない被加熱材は、抽出順番にしたがうと抽出すべきタイミングであったとしても、加熱炉抽出目標温度に達するまでは抽出を行わないようにしないと、加熱処理品質を確保できない。このため、制御コンピュータが、単に、固定された抽出順番にしたがって被加熱材の抽出動作を行っていると、過加熱や焼き不足を生じてしまい、被加熱材の実際の加熱状態を考慮して抽出順番を変更制御するような手段の出現が望まれていた。
【０００５】
また、ＤＨＣＲ操業における抽出順番は、ＤＨＣＲ材と非ＤＨＣＲ材の抽出順番を独立して定めているため、ＤＨＣＲ材と非ＤＨＣＲ材とを混合した適切な抽出順番を設定することが難しく、オペレータが、実際の設備操業状況を考慮して、ライン制御装置の操作により、ＤＨＣＲ材と非ＤＨＣＲ材とを適切かつ交互に抽出していたので、予定していた抽出順番と実際の抽出順番とが大きく相違してしまい、ＤＨＣＲ専用炉とこれ以外の加熱炉での加熱負荷を適切な値に設定できず、品質に悪影響を与えていたという問題もあった。
【０００６】
そこで、本発明は、上記未解決の課題に鑑みてなされたものであり、その目的は、加熱炉中での実際の加熱処理状態を考慮して、被加熱材の抽出を行うように抽出順番を変更していく手段を提供する点にある。
【０００７】
また、本発明の他の目的は、ＤＨＣＲ専用炉とこれ以外の炉を備える加熱設備に対しても、各加熱炉における負荷を平均化するように、被加熱材の抽出を行う抽出順番を変更していく手段を提供する点にある。
【０００８】
【課題を解決するための手段】
上記目的を達成するため、請求項１記載の発明によれば、複数の加熱炉で加熱されている被加熱材の抽出順番を制御する方法であって、
各被加熱材に対して抽出順番（基本抽出順番）を、予め定めておくステップと、各加熱炉において抽出待機状態にある被加熱材を次回抽出候補材とするステップと、次回抽出候補材のうちで、その温度が所定値となっているものを選択するステップと、選択された次回抽出候補材を、前記基本抽出順番にしたがって抽出するステップと、を含む被加熱材抽出順番の制御方法が提案される。
【０００９】
さらに、請求項２記載の発明によれば、請求項１において、さらに、選択された次回抽出候補材を、前記基本抽出順番にしたがって抽出する際、抽出される次回抽出候補材の抽出順番が、当該次回抽出候補材に対する基本抽出順番より抽出順番制御の安定性を考慮して決められる所定順位以上早まる場合には、当該次回抽出候補材の抽出を行わないステップを含む被加熱材抽出順番の制御方法が提供される。
また、請求項３記載の発明によれば、請求項２において、抽出順番制御の安定性を考慮して決められる所定順位を５番とする被加熱材抽出順番の制御方法が提供される。
【００１０】
また、請求項４記載の発明によれば、複数の加熱炉で加熱されている被加熱材の抽出順番を制御する方法であって、各被加熱材に対して抽出順番（基本抽出順番）を、予め定めておくステップと、同一加熱炉からの被加熱材の抽出が、各加熱炉の加熱負荷の平均化を考慮して決められる所定数以上連続するように抽出順番が定められた時、全被加熱材を、当該加熱炉から抽出されるべき被加熱材の集合である第１の被加熱材群と、これ以外の加熱炉から抽出されるべき被加熱材の集合である第２の被加熱材群とに分けるステップと、第１および２の被加熱材群の夫々に属する被加熱材の個数（Ｃ１、Ｃ２）を計数するステップと、第１および２の被加熱材群の夫々に属する被加熱材の個数の和（Ｃ１＋Ｃ２）を、第１の被加熱材群に属する被加熱材の個数（Ｃ１）で除した除算値（（Ｃ１＋Ｃ２）／Ｃ１）を求めるステップと、第１の被加熱材群に属する各被加熱材の基本抽出順番に前記除算値を乗じ、その値を整数値化するステップと、該整数値が、第１の被加熱材群に属する各被加熱材の前記基本抽出順番となるように、全被加熱材の基本抽出順番を変更するステップと、を含む被加熱材抽出順番の制御方法が提供される。
また、請求項５記載の発明によれば、請求項４において、各加熱炉の加熱負荷の平均化を考慮して決められる所定数を３回とする被加熱材抽出順番の制御方法が提供される。
【００１１】
【発明の実施の形態】
以下、本発明の実施形態を図面を参照しつつ説明する。
図３は、本発明のシステムの構成概要を示す構成図である。本システムは、４台の加熱炉ａ（１）、加熱炉ｂ（２）、加熱炉ｃ（３）、加熱炉ｄ（４）と、各加熱炉の温度を測定するために、加熱炉毎に設けられた温度センサーである熱電対２１と、各加熱炉から被加熱材を抽出するために、加熱炉毎に設けられた抽出装置であるエキストラクター２２と、各熱電対２１からの温度情報を獲得し、所定の処理を行って被加熱材を抽出するために、エキストラクター２２に動作制御信号を与える制御コンピュータ１００とを備えている。そして、次回の抽出候補の被圧延材であって各加熱炉の抽出先頭位置に存在する次回抽出候補材が、１１、１２、１３、１４として示されている。
【００１２】
また、粗圧延機５（Ｒ１）、６（Ｒ２）、７（Ｒ３）、８（Ｒ４）、９（Ｒ５）を備える粗ミルラインと、仕上圧延機１０（図中では、１つのスタンドＦ１のみを図示）を備える仕上ラインと、仕上がった鋼帯を巻き取るためのコイラーと（図示せず）が配設され、加熱炉から抽出されライン上に投入された被加熱材である圧延材１５と、粗圧延機５（Ｒ１）、６（Ｒ２）による圧延処理が施された圧延材１６と、粗圧延機７（Ｒ３）、８（Ｒ４）、９（Ｒ５）による圧延処理が施された圧延材１７とが、粗ミルライン上に存在している。なお、図では右方向を指す矢印で圧延方向を示し、また、各圧延機の固定装置等については、発明の本質と関係ないため図示してない。
【００１３】
このようなシステム構成で、次回抽出候補材１１、１２、１３、および１４のいずれかが、加熱炉から抽出されて、粗圧延機、仕上圧延機で順次圧延処理され、最終的に鋼帯コイルが製造されることになる。
【００１４】
さて、次に、抽出処理等の主要な処理を行う制御コンピュータ１００の第１の構成について図１を参照して説明する。制御コンピュータ１００は、各熱電対２１からの温度情報の入力、および、各エキストラクラー２２への動作制御信号の出力を行うためのインターフェイス部２０と、温度情報および被加熱材毎に予め定めた抽出順番（基本抽出順番）を参照して抽出制御信号を生成する処理部３０と、基本抽出順番等の必要な情報を入力するための入力部６０と、基本抽出順番等の必要な情報を表示するための表示部５０と、入力部６０を介して与えた情報をを記憶しておくための記憶部４０とを有し、さらに、前記処理部３０は、熱電対２１からの温度情報に基づいて加熱炉内の被加熱材の温度（推定材料温度）の推定演算等を行う温度演算部３２と、該温度演算部３２の処理結果と基本抽出順番とに基づいて、基本抽出順番の変更制御を行う抽出順番制御部３４と、変更制御された抽出順番にしたがって被加熱材を抽出するために、エキストラクターを動作制御する制御信号を生成するためのエキストラクター制御部３６とを備えている。
【００１５】
なお、前述したように、基本抽出順番は、各被加熱材に対して予め定めておく抽出順番であって、入力部６０を介して記憶部４０内の特定エリアに予め登録されているものとする。また、図１を参照して分かるように、インターフェイス部２０は、入出力用ＩＣ等の電子デバイス、記憶部４０は、ハードディスクドライバ（ＨＤＤ）等の記憶装置、表示部５０は、ＣＲＴ、液晶ディスプレイ等の表示デバイス、入力部６０は、キーボード、マウス等の入力デバイス、さらに、処理部３０は、動作プログラムを内蔵するＲＯＭ、動作プログラムにしたがった動作を行うＣＰＵ、ワークエリア等として動作するＲＡＭ等の電子デバイスにて実現できるため、制御コンピュータ１００は、パーソナルコンピュータやワークステーション等の１台の情報処理装置で実現可能である。
【００１６】
さて、本システムの動作を、制御コンピュータ１００の動作を中心として説明する。まず、図５に示すようなケースについて、図４のフローチャートを参照して説明する。図５に示すケースは、基本抽出順番１番から８番（抽出順）が、図５に示すように「次回抽出候補材１１、１２、圧延材ａ、次回抽出候補材１３、次回抽出候補材１４、圧延材ｂ、圧延材ｃ、圧延材ｄ」の順に定められているケースである。
【００１７】
まず、抽出順番制御部３４は、ステップＳ１００（図４）において、記憶部４０の特定エリアに、予め登録してある基本抽出順番を参照して、次回抽出候補材決定処理を行う。これによって、抽出順番制御部３４は、次回抽出候補材として、加熱炉の最下位位置に存在する、基本抽出順番「１番、２番、４番、５番」に相当する被加熱材である「次回抽出候補材１１、次回抽出候補材１２、次回抽出候補材１３、次回抽出候補材１４」を次回抽出候補材（図５、次回抽出候補材の欄に「○」で表示）として把握する。このように、実際には、記憶部４０には、基本抽出番号が、加熱炉毎に収容される被加熱材にグループ分けして登録されて、抽出順番制御部３４が加熱炉毎の最下位位置に存在する被加熱材の基本抽出順番を把握可能なように、番号登録されている。
【００１８】
次に、図４のステップＳ１５０において、温度演算部３２は、次回抽出候補材の温度を推定する材料温度差検出処理を行う。このためには、温度演算部３２は、各熱電対から温度情報を得て、得られた温度情報に基づいて各加熱炉内の被加熱材の温度推定を行い、さらに「温度差＝推定温度−抽出目標温度」なる演算を行って温度差を求める。なお、抽出目標温度は、例えば、１００（℃）として予め定めておき、また、温度演算部３２は、所定以上の温度差、例えば、温度差が２０（℃）以上の次回抽出候補材を抽出対象とする温度差チェックを行い（即ち、現在の推定温度と抽出目標温度との差が２０℃以上で抽出対象とする）、図５に示すように「次回抽出候補材１２、次回抽出候補材１３」を温度差チェック後における、次回の抽出候補材（図５、温度差チェックの欄に「○」で表示）と把握する。なお、温度推定は、フーリエの熱伝導方程式等を用いて行われる公知の演算処理であるため、ここでは詳細に説明することは避ける。
【００１９】
さて、次に、ステップＳ２００において、抽出順番制御部３４は、温度差チェック後における次回の抽出候補材として、このうち最も基本抽出順番が上位のものを次回抽出材として決定する次回抽出材決定処理を行う。具体的には、抽出順番制御部３４は、温度差チェック後における次回の抽出候補材である「次回抽出候補材１２、次回抽出候補材１３」のうち、最も基本抽出順番が上位の次回抽出候補材１２を、次回抽出材として決定する。そして、エキストラクター制御部３６は、記憶部４０に登録さている基本抽出番号「２番」に対応する加熱炉ｂ（２）のエキストラクター２２に制御信号を与えて、次回抽出材１２を抽出する動作を行う。そして、抽出された次回抽出材１２は、粗ミルラインに投入され圧延処理され、さらに仕上工程へとライン上を流れていく。なお、加熱炉２では、次回抽出候補材１２が抽出されたので、次に、圧延材ｂが次回抽出候補材となる。
【００２０】
このようにして、本実施形態によれば、各被加熱材に対して抽出順番（基本抽出順番）を、予め定めておき、各加熱炉において抽出待機状態にある被加熱材を次回抽出候補材とし、さらに、次回抽出候補材のうちで、その温度が所定値となっているものを選択（温度差チェック）し、選択された次回抽出候補材を、前記基本抽出順番にしたがって抽出する（抽出材）ので、基本抽出順番を基本的に遵守しながらも、被加熱材の温度状態を考慮して抽出順番を順次変更する制御を行うので、被加熱材の過加熱や焼け不足を防止することが可能である。
【００２１】
次に、他のケースについて本発明を適用した処理例について説明する。このケースでは、基本抽出順番１番から８番（抽出順）が、図６に示すように「次回抽出候補材１１、１２、圧延材ａ、次回抽出候補材１３、圧延材ｂ、圧延材ｃ、次回抽出候補材１４、圧延材ｄ」の順に定められているケースである。
【００２２】
まず、抽出順番制御部３４は、ステップＳ１００（図４）において、記憶部４０の特定エリアに、予め登録してある基本抽出順番を参照して、次回抽出候補材決定処理を行う。これによって、抽出順番制御部３４は、次回抽出候補材として、加熱炉の最下位位置に存在する、基本抽出順番「１番、２番、４番、７番」に相当する被加熱材である「次回抽出候補材１１、次回抽出候補材１２、次回抽出候補材１３、次回抽出候補材１４」を次回抽出候補材（図５、次回抽出候補材の欄に「○」で表示）として把握する。前述したように、実際には、記憶部４０には、基本抽出番号が、加熱炉毎に収容される被加熱材にグループ分けして登録されて、抽出順番制御部３４が加熱炉毎の最下位位置に存在する被加熱材の基本抽出順番を把握可能なように、番号登録されている。
【００２３】
次に、図４のステップＳ１５０において、温度演算部３２は、前述したような、次回抽出候補材の温度を推定する材料温度差検出処理を行う。即ち、温度演算部３２は、各熱電対から温度情報を得て、得られた温度情報に基づいて各加熱炉内の被加熱材の温度推定を行い、さらに「温度差＝推定温度−抽出目標温度」なる演算を行って温度差を求める。なお、抽出目標温度は、例えば、１００（℃）として予め定めておき、また、温度演算部３２は、所定以上の温度差、例えば、温度差が２０（℃）以上の次回抽出候補材を抽出対象とする温度差チェックを行い（即ち、現在の推定温度と抽出目標温度との差が２０℃以上で抽出対象とする）、図６に示すように「次回抽出候補材１４」のみを、温度差チェック後における、次回の抽出候補材（図６、温度差チェックの欄に「○」で表示）と把握する。
【００２４】
さて、次に、ステップＳ２００において、抽出順番制御部３４は、温度差チェック後における次回の抽出候補材として、このうち最も基本抽出順番が上位のものを次回抽出材として決定する次回抽出材決定処理を行うが、本処理では、抽出される次回抽出候補材の抽出順番が、当該次回抽出候補材に対する基本抽出順番より所定順位以上（例えば、５番以上）早まる場合には、当該次回抽出候補材の抽出を行わない点に特徴がある。具体的には、抽出順番制御部３４は、温度差チェック後における次回の抽出候補材である「次回抽出候補材１４」の基本抽出順番が、６番早まっているいるため、次回抽出候補材１４を抽出材とすることはせずに、基本抽出順番通りの抽出、即ち、基本抽出順番にしたがって次回抽出候補材１１を抽出材とする処理を行う。
【００２５】
そして、エキストラクター制御部３６は、記憶部４０に登録さている基本抽出番号「１番」に対応する加熱炉ａ（１）のエキストラクター２２に制御信号を与えて、次回抽出材１２を抽出する動作を行う。そして、抽出された次回抽出材１２は、粗ミルラインに投入され圧延処理され、さらに仕上工程へとライン上を流れていく。なお、加熱炉ａ（１）では、次回抽出候補材１１が抽出されたので、次に、圧延材ａが次回抽出候補材となる。
【００２６】
このようにして、選択された次回抽出候補材を、前記基本抽出順番にしたがって抽出する際、抽出される次回抽出候補材（抽出材）の抽出順番が、当該次回抽出候補材に対する基本抽出順番より所定順位以上早まる場合には、当該次回抽出候補材の抽出を行わないので、極端な抽出順番の飛び越しを阻止し、大幅な抽出順番変動を防止し、抽出順番制御の安定性を維持可能となる。
【００２７】
次に、本発明の他の実施形態について説明する。本実施形態は、特定の炉からの抽出が所定数以上連続するような場合に、特定炉からの連続抽出を防止する点に特徴がある。
【００２８】
本実施形態を行うためには、図１に示す制御コンピュータ１００が備える処理部３０を、図２に示すように変更し、新たな処理部３１が、抽出順番を入替えるか否かを判断する抽出順番入替え判断部３７と、抽出順番を入れ替えると判断した場合抽出順番を入れ替える抽出順番入れ替え部３８と、被加熱材の抽出動作を制御するエキストラクター制御部３６を備えるように構成すればよい。
【００２９】
さて、本発明の処理内容を図８、９、１０等を参照して説明する。今、４基操業（１号炉、２号炉、３号炉、４号炉）とし、４号炉をＤＨＣＲ専用炉としている。図１０は、処理部３１が行う処理を示すフローチャートである。まず、ステップＳ３００において、抽出順番入替え判断部３７は、同一炉（４号炉）からの被加熱材の抽出が所定数以上（例えば、３回以上）連続しているか否かを判断し、連続していない場合には、終了し、一方、連続している場合には、ステップＳ３１０に進み、入れ替え対象炉を「４号炉」と把握する（ステップＳ３１０）。なお、ここで「終了」とは、入れ替え処理を行わずに、予め、各被加熱材に対して定めておいた抽出順番（基本抽出順番）にしたがって抽出動作を行うことを意味する。なお、前述した実施形態同様に、基本抽出順番は、予め記憶部４０に登録されているものとする。
【００３０】
さて、ステップＳ３２０において、抽出順番入れ替え部３８は、入れ替え対象炉（４号炉）の材料本数（Ｃ１）をカウントする処理を行うが、これについて図８、９を参照して説明して、理解の容易化を図る。まず、図８の符号Ａは、基本抽出順番「１番」〜「２０番」までの炉材の抽出順番を示したものであり、「１号炉材、２号炉材、３号炉材、４号炉材、…、２号炉材」の順になっている。ステップＳ３２０では、この基本抽出順番において、入れ替え対象炉である４号炉の炉材の数を計数する。すると、４号炉の炉材は９本となる（Ｃ１＝９）。一方、ステップＳ３４０において、抽出順番入れ替え部３８は、入れ替え対象炉（４号炉）以外の炉の材料本数（Ｃ２）をカウントすると、１、２、および３号炉の炉材は合計１１本となる（Ｃ２＝１１）。この様子を図８の符号Ｂに示す。
【００３１】
次に、ステップＳ３６０において、抽出順番入れ替え部３８は、入れ替え対象炉および入れ替え対象炉以外の炉材の個数の和（Ｃ１＋Ｃ２）を、入れ替え対象炉の炉材の個数（Ｃ１）で除した除算値Ｒ１（（Ｃ１＋Ｃ２）／Ｃ１）を求め、この結果、「Ｒ１＝（Ｃ１＋Ｃ２）／Ｃ１＝２０／９＝２．２２となる。
【００３２】
そして、ステップＳ３８０において、抽出順番入れ替え部３８は、各４号炉材の番号にＲ１を乗じて、図９に示すように「１×Ｒ１＝２．２、２×Ｒ１＝４．４、３×Ｒ１＝６．６、４×Ｒ１＝８．８、５×Ｒ１＝１１．１、６×Ｒ１＝１３．３、７×Ｒ１＝１５．５、８×Ｒ１＝１７．７、９×Ｒ１＝２０．０」として求め、これらの値を整数化して「２、４、６、８、１１、１３、１５、１７、２０」とする。この各整数値を、各４号炉材の抽出番号とする（図８の符号Ｃ参照）。そして、他の炉材の順番を、順次、４号炉材の抽出順番に割り当てられていない順番に割り当てる処理を行う。なお、図９は、以上の処理に用いた変数の値を理解の容易化のために纏めて記載した説明図である。
【００３３】
以上の処理結果である図８符号Ｃ図を見て分かるように、４号炉材が連続してて抽出されるようにはなっていなく、各炉の炉材が均等に抽出されるような順番いなっている。そして、エキストラクター制御部３６は、新たな抽出順番にしたがって、炉材の抽出を行うように制御信号を各エキストラクターに供給する。
【００３４】
なお、図７に、実際の抽出順番（符号Ａ）と、予定した抽出順番（符号Ｂ）と、本発明を適用した抽出順番（符号Ｃ）とを比較した説明図を示す。これは、３基操業のラインを例に取ったもので、４号炉をＤＨＣＲ専用炉として、この炉かの抽出材の連続性を調べて、入れ替え処理を行ったものである。抽出順番として、「１番」〜「７４番」まで予定されており、予定抽出順では、「３３番」〜「５７番」まで４号炉の炉材の抽出が連続している。もっとも、実際には、オペレータの操作によって、連鋳との同期化操業の場合等には、４号炉の炉材が異常に連続することは避けられるが、それでも３回以上の連続抽出箇所が存在する。
【００３５】
これに対して、本実施形態によれば、３回以上の連続抽出箇所が存在することはなく、オペレータを介在させずに、各炉材が適度に均一に抽出されるようになる様子が分かる。
【００３６】
以上のように、まず、各被加熱材に対して抽出順番（基本抽出順番）を、予め定めておき、同一加熱炉からの被加熱材の抽出が、所定数以上連続するように抽出順番が定められた時、全被加熱材を、当該加熱炉から抽出されるべき被加熱材の集合である第１の被加熱材群と、これ以外の加熱炉から抽出されるべき被加熱材の集合である第２の被加熱材群とに分け、第１および２の被加熱材群の夫々に属する被加熱材の個数（Ｃ１、Ｃ２）を計数し、さらに、第１および２の被加熱材群の夫々に属する被加熱材の個数の和（Ｃ１＋Ｃ２）を、第１の被加熱材群に属する被加熱材の個数（Ｃ１）で除した除算値（（Ｃ１＋Ｃ２）／Ｃ１）を求めて、第１の被加熱材群に属する各被加熱材に対する基本抽出順番に、前記除算値を乗じて整数にした整数値を求め、該整数値が、第１の被加熱材群に属する各被加熱材の前記基本抽出順番となるように、全被加熱材の基本抽出順番を変更するので、本実施形態によれば各加熱炉の加熱負荷の平均化を図ることが可能になる。
【００３７】
【発明の効果】
以上説明してきたように、請求項１に係る発明によれば、各被加熱材に対して基本抽出順番予め定めておき、各加熱炉において抽出待機状態にある被加熱材を次回抽出候補材とし、次回抽出候補材のうちで、その温度が所定値となっているものを選択し、さらに、選択された次回抽出候補材を、前記基本抽出順番にしたがって抽出するので、被加熱材の過加熱や焼け不足を防止することができるという効果がある。
【００３８】
特に、請求項２に係る発明によれば、選択された次回抽出候補材を、前記基本抽出順番にしたがって抽出する際、抽出される次回抽出候補材の抽出順番が、当該次回抽出候補材に対する基本抽出順番より所定順位以上早まる場合には、当該次回抽出候補材の抽出を行わないので、請求項１の効果に加え、極端な抽出順番の飛び越しを阻止し、大幅な抽出順番変動を防止し、抽出順番制御の安定性を維持できるという効果がある。
【００３９】
また、請求項３に係る発明によれば、  各被加熱材に対して抽出順番（基本抽出順番）を、予め定めておき、同一加熱炉からの被加熱材の抽出が、所定数以上連続するように抽出順番が定められた時、全被加熱材を、当該加熱炉から抽出されるべき被加熱材の集合である第１の被加熱材群と、これ以外の加熱炉から抽出されるべき被加熱材の集合である第２の被加熱材群とに分け、第１および２の被加熱材群の夫々に属する被加熱材の個数（Ｃ１、Ｃ２）を計数し、第１および２の被加熱材群の夫々に属する被加熱材の個数の和（Ｃ１＋Ｃ２）を、第１の被加熱材群に属する被加熱材の個数（Ｃ１）で除した除算値（（Ｃ１＋Ｃ２）／Ｃ１）を求め、さらに、第１の被加熱材群に属する各被加熱材に対する基本抽出順番に、前記除算値を乗じて整数にした整数値を求めて、該整数値が、第１の被加熱材群に属する各被加熱材の前記基本抽出順番となるように、全被加熱材の基本抽出順番を変更するので、各加熱炉の加熱負荷の平均化を図ることができるという効果がある。
【図面の簡単な説明】
【図１】制御コンピュータの構成図である。
【図２】制御コンピュータが備える処理部の他の態様の構成図である。
【図３】本発明に係るシステムの構成概要を示す構成図である。
【図４】本発明に係る実施形態の処理内容を示すフローチャートである。
【図５】本発明に係る実施形態の処理内容を説明するための説明図である。
【図６】本発明に係る実施形態の処理内容を説明するための説明図である。
【図７】他の実施形態の処理内容を説明するための説明図である。
【図８】他の実施形態の処理内容を説明するための説明図である。
【図９】他の実施形態の処理内容を説明するための説明図である。
【図１０】他の実施形態の処理内容を示すフローチャートである。
【符号の説明】
１  加熱炉
２  加熱炉
３  加熱炉
４  加熱炉
５  粗圧延機
６  粗圧延機
７  粗圧延機
８  粗圧延機
９  粗圧延機
１０  仕上圧延機
１５  圧延材
１６  圧延材
１７  圧延材
２０  インターフェイス部
２１  熱電対
２２  エキストラクター
３０  処理部
３２  温度演算部
３４  抽出順番制御部
３６  エキストラクター制御部
３７  抽出順番入れ替え判断部
３８  抽出順番入れ替え部
４０  記憶部
５０  表示部
６０  入力部
１００  制御コンピュータ
【図１】
0004123534.tif 000002
【図２】
0004123534.tif 000003
【図３】
0004123534.tif 000004
【図４】
0004123534.tif 000005
【図５】
0004123534.tif 000006
【図６】
0004123534.tif 000007
【図７】
0004123534.tif 000008
【図８】
0004123534.tif 000009
【図９】
0004123534.tif 000010
【図１０】
0004123534.tif 000011